【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
ユーザの足用のウォータースポーツ用長靴（４００）であって、
耐水性の接着剤を用いて継ぎ目のところで足首部（４２０）に取り付けられるソール部（４１０）を備えており、
前記ソール部（４１０）は、モールド成型から製造され、外表面と内表面を備えており、前記ソール部（４１０）は、ユーザの足を受け入れるように適合され、前記ソール部（４１０）はユーザの足のソール、側部およびつま先の頂部を取り囲むものであり、
前記足首部（４２０）は外表面と内表面を備えており、ユーザの足首および脚の下部を受け入れるように適合され、前記足首部（４２０）は高伸張性を有するネオプレンから製造され、
前記足首部（４２０）の内側には第１の内張り用の布（４２５）が提供され、
継ぎ目（４３０）のところで、前記ネオプレンおよび内張り用の布（４２５）の両方を含む接着可能な面の領域を形成するようにネオプレンがある角度でカットされており、
そして、前記ソール部（４１０）と前記足首部（４２０）との間にある前記継ぎ目（４３０）には耐水性および強度を提供するようにシリコーン系またはポリウレタン系のシーラント（４３５）が塗布される、ウォータースポーツ用長靴（４００）。
【請求項２】
前記ソール部（４１０）のプロファイルが変化する厚さを有してなる、請求項１に記載のウォータースポーツ用長靴（４００）。
【請求項３】
前記ソール部（４１０）が外表面にモールド成型により付与される高摩擦特性（１５０）を有する、請求項１に記載のウォータースポーツ用長靴（４００）。
【請求項４】
前記ソール部（４１０）が内表面にモールド成型により付与される高摩擦特性（１５０）を有する、請求項１に記載のウォータースポーツ用長靴（４００）。
【請求項５】
前記ソール部（４１０）の内表面に第２の内張り用の布（１６０、４２５）を接合する、請求項１に記載のウォータースポーツ用長靴（４００）。
【請求項６】
前記ソール部（４１０）の外表面に少なくとも１つのソール挿入部（４４０）が接合される、請求項１に記載のウォータースポーツ用長靴（４００）。
【請求項７】
前記ソール部（４１０）の外表面にアーチ状の挿入部（４５０）が接合されてなる、請求項１に記載のウォータースポーツ用長靴（４００）。
【請求項８】
前記ソール部（４１０）の外表面と前記少なくとも１つのソール挿入部（４４０）のうちの１つとの間に固定される足首用ストラップの基礎部（４８０）をさらに備えてなる、請求項６に記載のウォータースポーツ用長靴（４００）。
【請求項９】
前記足首用ストラップの基礎部（４８０）が前記足の甲と外縁部とにおける一対のＤ字型リング（４８５）で終端するように構成されてなる、請求項８に記載のウォータースポーツ用長靴（４００）。
【請求項１０】
テンションストラップ（４９０）の第一の端部が前記一対のＤ字型リング（４８５）のうちの一方のリングに取り付けられており、ユーザが前記テンションストラップ（４９０）の第二の端部を前記足の頂部を越えた所にある前記Ｄ字型リング（４８５）の他方のリングに前記第二の端部を固定するように構成されてなる、請求項９に記載のウォータースポーツ用長靴（４００）。
【請求項１１】
プルオン式ループ（４６０）が、前記ソール部（４１０）および前記足首部（４２０）をオーバーラップする補強パッチ（４７０）を用いて前記長靴（４００）のかかとに固定されるように構成されてなる、請求項１に記載のウォータースポーツ用長靴（４００）。
【請求項１２】
継ぎ目（４３０）のところで、前記ネオプレンおよび前記内張り用の布（４２５）の両方を含む接着可能な面の領域を形成するようにネオプレンがある角度でカットされており、
前記ソール部（４１０）の外表面の第１部分が、前記足首部の上の内表面の第１の内張り用の布（４２５）に接着され、前記ソール部（４１０）の外表面の第２部分が、前記足首部の内表面の前記ネオプレンに接着されている、請求項１に記載のウォータースポーツ用長靴（４００）。
【請求項１３】
ユーザの手用のグローブ手袋（１００）であって、
耐水性の接着剤を用いて継ぎ目（１３０）のところで手首部（１２０）に取り付けられている手のひら部（１１０）を備え、
前記手のひら部（１１０）は、モールド成型から製造され、外表面と内表面を備えており、前記手のひら部（１１０）は、ユーザの手を受け入れるように適合され、
前記手首部（１２０）は、外表面と内表面を備えており、ユーザの手首および腕の下部を受け入れるように適合され、前記手首部（１２０）は、高伸張性を有するネオプレンから製造され、
前記手首部の内側には第１の内張り用の布（１６０）が提供され、
継ぎ目（１３０）のところで、前記ネオプレンおよび前記第１の内張り用の布（１６０）の両方を含む接着可能な面の領域を形成するようにネオプレンがある角度でカットされており、
そして、前記手のひら部（１１０）と前記手首部（１２０）との間にある前記継ぎ目（１３０）には耐水性および強度を提供するようにシリコーン系またはポリウレタン系のシーラント（２３０）が塗布される、ウォータースポーツ用グローブ手袋（１００）。
【請求項１４】
前記手のひら部（１１０）のプロファイルが変化する厚さを有してなる、請求項１３に記載のウォータースポーツ用グローブ手袋（１００）。
【請求項１５】
前記手のひら部（１１０）が外表面にモールド成型により付与される高摩擦特性（１５０）を有する、請求項１３に記載のウォータースポーツ用グローブ手袋（１００）。
【請求項１６】
前記手のひら部（１１０）が内表面にモールド成型により付与される高摩擦特性（１５０）を有する、請求項１３に記載のウォータースポーツ用グローブ手袋（１００）。
【請求項１７】
前記手のひら部（１１０）の内表面に第２の内張り用の布材を接合する、請求項１３に記載のウォータースポーツ用グローブ手袋（１００）。
【請求項１８】
継ぎ目（４３０）のところで、前記ネオプレンおよび前記第１の内張り用の布（１６０）の両方を含む接着可能な面の領域を形成するようにネオプレンがある角度でカットされており、
前記手のひら部（１１０）の外表面の第１部分が、前記手首部の上の内表面の第１の内張り用の布（１６０）に接着され、前記手のひら部（１１０）の外表面の第２部分が、前記手首部の内表面の前記ネオプレンに接着されている、請求項１３に記載のウォータースポーツ用グローブ手袋（１００）。
【請求項１９】
前記手首部（１２０）が前記手のひら部（１１０）からシャツに向けて遠位にある端部で接合されてなる、請求項１３に記載のウォータースポーツ用グローブ手袋（１００）。
【請求項２０】
前記手のひら部（１１０）が５本の独立した柔軟な指を収容するように構成されてなる、請求項１３に記載のウォータースポーツ用グローブ手袋（１００）。
【請求項２１】
前記手のひら部（１１０）が前記ユーザの親指用の第一のコンパートメントと、前記ユーザの人指し指用の第二のコンパートメントと、前記ユーザの３番目の指から５番目の指用の第三のコンパートメントとを有してなる、請求項１３に記載のウォータースポーツ用グローブ手袋（１００）。
【請求項２２】
前記手のひら部が前記ユーザの親指用の第一のコンパートメント（３０１）と、前記ユーザの２番目の指から５番目の指用の第二のコンパートメント（３０２）とを有してなる、請求項１３に記載のウォータースポーツ用グローブ手袋（３００）。
【請求項２３】
ユーザの足用のウォータースポーツ用長靴を製造する方法（５００）であって、
三次元モールド型で発泡体ブレンドをモールド成型して前記長靴の前記ソール部を製造することと（５１０）、
前記長靴の足首部を１片の大きな布から切り取ることと（５２０）、
前記足首部の内側に内張りを接着させることと、
前記足首部の縁部をスカイブ加工することと、
前記足首部のスカイブ加工された前記縁部を前記ソール部の受け入れ縁部に接着させることと（５５０）、
前記足首部が前記ソール部と交わるところの外側に耐水性および強度を提供するようにシリコーン系またはポリウレタン系の継ぎ目シーラントを塗布することと  
を含む、方法。
【請求項２４】
ユーザの手用のグローブ手袋を製造する方法（５００）であって、
三次元モールド型で発泡体ブレンドをモールド成型して前記グローブの手のひら部を製造することと（５１０）、
前記グローブの手首部を１片の大きな布から切り取ることと（５２０）、
前記手首部の内側に内張りを接着させることと、
前記手首部の縁部をスカイブ加工することと、
前記手首部のスカイブ加工された前記縁部を前記手のひら部の受け入れ縁部に接着させることと（５５０）、
前記手首部が前記手のひら部と交わるところの外側に耐水性および強度を提供するようにシリコーン系またはポリウレタン系の継ぎ目シーラントを塗布することと  
を含む、方法。